(57)【要約】【課題】  軽量化を図ることができる衣服を提供する。【解決手段】  衣服１では、上パターン１０と下パターン５０とが、左衿口に達するラインＬ１２とラインＬ１２´、並びに右衿口に達するラインＬ２２とラインＬ２２´で縫着される。これにより、衣服１では、下パターン５０のラインＬ３２，Ｌ４２が、衿口の一部を形成している。左衿付近のラインＬ１２とラインＬ１２´との縫着ラインは、衿部８の左衿部の衿口（ダーツＤ１２とラインＬ４１との略中間位置）から、被着者の左鎖骨に対応する位置付近を通って左袖ぐりまで達する。【選択図】  図３
2010275662.tif 000002
【特許請求の範囲】
【請求項１】
衿を形成する衿部、左袖部および右袖部を一体的に裁断して形成された上パターンと、
前身頃および後身頃を一体的に裁断して形成された下パターンと
を有し、
前記上パターンの前記衿部は、左衿部と、当該左衿部と対称の右衿部とを有し、
前記左衿部は、左前衿口の一部を形成する衿形成ラインと、当該衿形成ラインの端点と、当該端点を始点として前記左袖部に向けて滑らかに曲線を形成する第１の接合ラインとを有し、
前記下パターンは、
前記上パターンの前記左衿部の前記第１の接合ラインの一部と接合する第２の接合ラインを有する左前身頃と、
前記左前身頃と対称の右前身頃と、
前記左前身頃と前記右前身頃との間に介在する前記後身頃と
を有し、
前記第１の接合ラインと前記第２の接合ラインとの接合部は、前記左衿部の左前衿口から前記左袖部の袖ぐり付近に達している
衣服。
【請求項２】
前記左袖部は、前記第１の接合ラインの一部と縫着され、左腕が収容される空間を形成する第３の接合ラインを有し、
前記第１の接合ラインと前記第２の接合ラインとを接合して形成されたラインと、前記第１の接合ラインと前記第３の接合ラインとを接合して形成されるラインとによって、前記左衿部の左前衿口から左袖口に達する滑らかな１ラインが形成されている
請求項１に記載の衣服。
【請求項３】
前記第１の接合ライン、前記第２の接合ラインおよび前記第３の接合ラインの接点は、袖ぐり付近の脇下点と肩上点との略中間位置にあり、
前記第１の接合ラインと前記第２の接合ラインとの接合部は、前記左衿部の左前衿口の正面側の略中間位置と、前記接点とを滑らかなラインで結んでいる
請求項２に記載の衣服。
【請求項４】
前記第１の接合ラインと前記第２の接合ラインとの接合部は、前記左衿部の左前衿口の正面側の略中間位置から約４５°の角度で左斜め下向きにのび、当該中間位置と前記接点との間の略中間位置で、前記第１の接合ラインと前記第３の接合ラインとの接合部と略平行になるように滑らかな曲線を描いている
請求項３に記載の衣服。
【請求項５】
前記左袖部を肩から浮き上げるためのダーツが、前記左衿部の左前衿口から前記左袖部の袖口に向けて、前記第１の接合ラインと前記第３の接合ラインとを接合して形成されるラインと略平行に形成されている
請求項２に記載の衣服。
【請求項６】
前記下パターンの前記左前身頃は、前記左衿部の前記衿形成ラインの前記端点と接合する点と、前記右前身頃と接合する接合ラインとの間に、前記左衿部の前記衿形成ラインと一体となって前記左前衿口を形成するためのラインを有する。
請求項１に記載の衣服。
【請求項７】
前記上パターンと、前記下パターンの後身頃とが、被着者の肩甲骨に対応する位置付近で接合している
請求項１に記載の衣服。
【請求項８】
前記右袖部は、前記左袖部と対称であり、
前記上パターンの前記左袖部に、肘曲げ用空間を形成するためのダーツが形成されている
請求項１に記載の衣服。
【請求項９】
前記左袖部を肩から浮き上げるためのダーツが、前記左衿部の左前衿口から前記左袖部の袖口に向けて、前記第１の接合ラインと前記第３の接合ラインとを接合して形成されるラインと略平行に形成されており、
前記肘曲げ用空間を形成するためのダーツと、前記左袖部を肩から浮き上げるためのダーツとの深さ方向が直交する
請求項８に記載の衣服。
【請求項１０】
前記下パターンには、左右の袖部の袖ぐりを形成するための凹部が形成されている
請求項１に記載の衣服。
【請求項１１】
上パターンと縫着されて衣服を構成するために用いられる下パターンであって、
前記上パターンが、衿を形成する衿部と、左袖部と、右袖部とが一体的に裁断されており、前記衿部は、左衿部と、当該左衿部と対称の右衿部とを有し、前記左衿部は、左前衿口の一部を形成する衿形成ラインと、当該衿形成ラインの端点と、当該端点を始点として前記左袖部に向けて滑らかに曲線を形成する第１の接合ラインとを有する場合に、
前記上パターンの前記左衿部の前記第１の接合ラインの一部と接合する第２の接合ラインを有する左前身頃と、
前記左前身頃と対称の右前身頃と、
前記左前身頃と前記右前身頃との間に介在する後身頃と
が一体的に裁断されており、
前記第１の接合ラインと前記第２の接合ラインとの接合部は、前記左衿部の左前衿口から前記左袖部の袖ぐり付近に達している
下パターン。
【請求項１２】
下パターンと縫着されて衣服を構成するために用いられる上パターンであって、
前記下パターンが、前記上パターンの左衿部の第１の接合ラインの一部と接合する第２の接合ラインを有する左前身頃と、前記左前身頃と対称の右前身頃と、前記左前身頃と前記右前身頃との間に介在する後身頃とを有する場合に、
衿を形成する前記衿部と、
左袖部と、
右袖部と
が一体裁断されており、
前記衿部は、左衿部と、当該左衿部と対称の右衿部とを有し、
前記左衿部は、左前衿口の一部を形成する衿形成ラインと、当該衿形成ラインの端点と、当該端点を始点として前記左袖部に向けて滑らかに曲線を形成する前記第１の接合ラインとを有し、
前記第１の接合ラインと前記第２の接合ラインとの接合部は、前記左衿部の左前衿口から前記左袖部の袖ぐり付近に達している
上パターン。
【発明の詳細な説明】
【技術分野】
【０００１】
本発明は衣服、並びに衣服に用いる上パターンおよび下パターンに関し、例えばスキー、ゴルフ等に使用するスポーツウェアー、背広、ジャケット、ジャンパー等のカジュアル・ウェアー、Ｔシャツ、さらにはコート等の衣服に適用可能である。
【背景技術】
【０００２】
人体は動く立体構造体であり、衣服は人体を包むものであるから、立体的な動きを想定して設計される。
人の体の動作は前に動く傾向があるので、平面設計の衣服では、静止時はともかく、動作をしたときに背幅がきつい、身頃の脇が突っ張る、上腕を挙げたとき脇がつり上がるなど、上腕および体幹の動作を妨げてしまう。このように、安静立位のときの人体の形態と寸法で作られた衣服は、被着者の肩を中心にした体幹および上腕の動作を阻害するので、体に馴染みにくく、着用感も悪く、着にくいほかに、長時間の着用では疲労が蓄積され、作業性、安全性にも欠けるなどの問題もある。
【０００３】
そのため、例えば背広、ジャケット、ブラウス等の衣服は、例えば上端に首ぐりを有する前身頃および後身頃と、一端を首ぐりの頸側部位に対応する部分に設けた肩を覆う肩布部と、該肩布部の左右に配設される袖部とを備えて立体設計されている。
具体的には、特許文献１に示されるように、従来の衣服は、左肩布部、左前身頃、左後身頃、左袖部、右肩布部、右前身頃、右後身頃および右袖部を、シームシーリング加工により、シームテープを用いて縫着して形成される。
【先行技術文献】
【特許文献】
【０００４】
【特許文献１】特開２００５−２９９０２３号公報
【発明の概要】
【発明が解決しようとする課題】
【０００５】
ところで、衣服を軽量化したいという要請がある。特に、競技用の衣服には、このような要請が強い。
衣服を軽量化する方法として、例えば、素材自体を軽量化する方法があるが、それとは別に他の方法でも軽量化を図りたいという要請がある。
【０００６】
本発明はかかる事情に鑑みてなされたものであり、その目的は、軽量化を図ることができる衣服、並びにそのような衣服に用いられる上パターンおよび下パターンを提供することにある。
また、本発明の目的は、着用者の動作を阻害せず、動きやすく、かつ作業性、安全性にも優れており、着やすく、着心地の良い衣服、並びにそのような衣服に用いられる上パターンおよび下パターンを提供することにある。
【課題を解決するための手段】
【０００７】
上述した従来技術の問題を解決し、上述した目的を達成するために、第１の観点の発明の衣服は、衿を形成する衿部、左袖部および右袖部を一体的に裁断して形成された上パターンと、前身頃および後身頃を一体的に裁断して形成された下パターンとを有する。また、前記上パターンの前記衿部は、左衿部と、当該左衿部と対称の右衿部とを有する。前記左衿部は、左前衿口の一部を形成する衿形成ライン（Ｌ１１）と、当該衿形成ラインの端点（Ｐ１１）と、当該端点を始点として前記左袖部に向けて滑らかに曲線を形成する第１の接合ライン（Ｌ１２）とを有する。前記下パターンは、前記上パターンの前記左衿部の前記第１の接合ラインの一部と接合する第２の接合ライン（Ｌ１２´）を有する左前身頃と、前記左前身頃と対称の右前身頃と、前記左前身頃と前記右前身頃との間に介在する前記後身頃とを有する。前記第１の接合ラインと前記第２の接合ラインとの接合部は、前記左衿部の左前衿口から前記左袖部の袖ぐり付近に達している。
【０００８】
第２の観点の発明の下パターンは、上パターンと縫着されて衣服を構成するために用いられる下パターンであって、前記上パターンが、衿を形成する衿部と、左袖部と、右袖部とが一体的に裁断されており、前記衿部は、左衿部と、当該左衿部と対称の右衿部とを有し、前記左衿部は、左前衿口の一部を形成する衿形成ライン（Ｌ１１）と、当該衿形成ラインの端点（Ｐ１１）と、当該端点を始点として前記左袖部に向けて滑らかに曲線を形成する第１の接合ライン（Ｌ１２）とを有する場合に、前記上パターンの前記左衿部の前記第１の接合ラインの一部と接合する第２の接合ライン（Ｌ１２´）を有する左前身頃と、前記左前身頃と対称の右前身頃と、前記左前身頃と前記右前身頃との間に介在する後身頃とが一体的に裁断されている。また、前記第１の接合ラインと前記第２の接合ラインとの接合部は、前記左衿部の左前衿口から前記左袖部の袖ぐり付近に達している。
【０００９】
第３の観点の発明の上パターンは、下パターンと縫着されて衣服を構成するために用いられる上パターンであって、前記下パターンが、前記上パターンの左衿部の第１の接合ラインの一部と接合する第２の接合ライン（Ｌ１２´）を有する左前身頃と、前記左前身頃と対称の右前身頃と、前記左前身頃と前記右前身頃との間に介在する後身頃とを有する場合に、衿を形成する前記衿部と、左袖部と、右袖部とが一体裁断されており、前記衿部は、左衿部と、当該左衿部と対称の右衿部とを有する。前記左衿部は、左前衿口の一部を形成する衿形成ライン（Ｌ１１）と、当該衿形成ラインの端点（Ｐ１１）と、当該端点を始点として前記左袖部に向けて滑らかに曲線を形成する前記第１の接合ライン（Ｌ１２）とを有する。前記第１の接合ラインと前記第２の接合ラインとの接合部は、前記左衿部の左前衿口から前記左袖部の袖ぐり付近に達している。
【００１０】
第４の観点の発明の衣服は、左パターンと、前記左パターンと対称な右パターンとを有し、前記左パターンは、左衿部と、左前身頃と、左後身頃と、左袖部とを一体的に裁断して構成され、前記左前身頃は、前記右パターンの左前身頃と接合する第１の接合ラインと、前記左後身頃と接合する第２の接合ラインとを有する。前記左後身頃は、前記右パターンの右後身頃と接合する第３の接合ラインと、前記左前身頃の前記第２の接合ラインと接合する第４の接合ラインとを有する。前記左袖部は、前記第２の接合ラインと略直交し、且つ当該第２のラインと連結した第５の接合ラインと、前記第４の接合ラインと略直交し、且つ当該第４の接合ラインと連結し、前記第５の接合ラインと接合して袖部を形成する第６の接合ラインとを有する。
【００１１】
好適には、第４の観点の発明の衣服は、前記左衿部の衿口を始点として前記左袖部に向かうダーツが形成されている。
【発明の効果】
【００１２】
本発明によれば、軽量化を図ることができる衣服、並びにそのような衣服に用いられる上パターンおよび下パターンを提供することができる。
また、本発明によれば、着用者の動作を阻害せず、動きやすく、かつ作業性、安全性にも優れており、着やすく、着心地の良い衣服、並びにそのような衣服に用いられる上パターンおよび下パターンを提供することができる。
【図面の簡単な説明】
【００１３】
【図１】図１は、本発明の第１実施形態に係る衣服を構成する上パターンの正面図である。
【図２】図２は、図１に示す衣服を構成する下パターンの正面図である。
【図３】図３は、本発明の第１実施形態に係る衣服の正面図である。
【図４】図４は、本発明の第１実施形態に係る衣服の背面図である。
【図５】図５は、本発明の第１実施形態に係る衣服のダーツの機能を説明するための図である。
【図６】図６は、本発明の第１実施形態の衣服を用いたスキーウェアの正面図である。
【図７】図７は、本発明の第１実施形態の衣服を用いたスキーウェアの背面図である。
【図８】図８は、本発明の第２実施形態に係る衣服を構成する上パターンの正面図である。
【図９】図９は、本発明の第２実施形態に係る衣服を構成する下パターンの正面図である。
【図１０】図７は、本発明の第２実施形態の衣服の背面図である。
【図１１】図１１は、本発明の第３実施形態に係る衣服を構成する上パターンの正面図である。
【図１２】図１２は、本発明の第３実施形態に係る衣服を構成する下パターンの正面図である。
【図１３】図１３は、本発明の第３実施形態の衣服の背面図である。
【図１４】図１４は、本発明の第４実施形態に係る衣服を構成する左パターンの正面図である。
【図１５】図１５は、本発明の第４実施形態に係る衣服の正面図である。
【図１６】図１６は、本発明の第４実施形態に係る衣服の背面図である。
【図１７】図１７は、本発明の第４実施形態に係る衣服を構成する左パターンの変形例を説明するための図である。
【発明を実施するための形態】
【００１４】
本実施形態の衣服としては、例えばスキーウェア等のウィンタースポーツウェアの衣服であるほか、図には示さないが例えばゴルフやジョギング等に使用するスポーツウェアー、背広、ジャケット、ジャンパー等のカジュアル・ウェアー、Ｔシャツ、ブラウス、セータ等のニット、さらにはコート等があげられる。
【００１５】
＜第１実施形態＞
図１は本発明の第１実施形態に係る衣服１を構成する上パターン１０の正面図、図２は図１に示す衣服１を構成する下パターン５０の正面図である。
図３は本発明の第１実施形態に係る衣服１の正面図、図４は本発明の第１実施形態に係る衣服１の背面図である。
ここで、上パターン１０が本発明の上パターンの一例であり、下パターン５０が本発明の下パターンの一例である
【００１６】
衣服１は、上パターン１０および下パターン５０の２個のパターンで構成されており、８個のパターンを使う従来の衣服に比べて、使用するパターン数を大幅に削減することができる。そのため、パターン間を縫着するためのシームテープの使用量を大幅に減らすことができ、軽量化を図ることができる。
【００１７】
衿部８が本発明の衿部の一例であり、左袖部１２が本発明の左袖部の一例であり、右袖部２２が本発明の右袖部の一例である。
また、端点Ｐ１１が本発明の端点の一例であり、ラインＬ１１が本発明の衿形成ラインＬの一例であり、ラインＬ１２が本発明の第１の接合ラインの一例である。
また、ラインＬ１２´が本発明の第２の接合ラインの一例であり、ラインＬ１５が本発明の第３の接合ラインの一例である。
【００１８】
第１実施形態の衣服１は、図１に示す上パターン１０と図２に示す下パターン５０とを立体形状にして、シームテープにより縫着して形成される。
上パターン１０および下パターン５０の素材としては、例えば木綿、絹、麻、羊毛等の天然繊維、また、ポリエステル繊維、ポリアミド繊維、ポリアクリル繊維、ポリウレタン繊維、ポリスチレン繊維、ポリエチレン繊維等の合成繊維、またはこれらの半合成繊繊維により織成されるか、または編成されるほか、天然皮革、合成皮革の何れか、または前記群から選択される素材の２つ以上の組み合わせたものが用いられる。
また、本実施形態において、縫着は、シームテープにより、針穴を裏側から目止めして行われる。これにより、縫着箇所を介して、衣服１の外側から内側へ水が浸水することを防止する。
【００１９】
以下、衣服１を構成する上パターン１０および下パターン５０について詳細に説明する。
[上パターン１０]
図１に示すように、上パターン１０は、例えば、衿部８、左袖部１２、右袖部２２を一体的に裁断して形成されている。
衿部８は、後衿部を形成するラインＬ１０、左衿部を形成するラインＬ１１、右衿部を形成するラインＬ２１を有する。
ラインＬ１１とラインＬ１０との間にはダーツＤ１２が形成されている。
ダーツＤ１２は、衣服１の重量を左肩部の周囲に分散させて、衣服１の重量を感じさせないようにするためのものである。
ダーツＤ１２は、図３に示すように、ラインＬ１２の袖側およびラインＬ１３と略平行する方向（ラインＬ１１と略直交する方向）が深さ方向となるように形成されている。
ここで、ラインＬ１２は、後述するように下パターン５０のラインＬ１２´と縫着される。ダーツＤ１２を、上述したようにラインＬ１２と略平行する方向が深さ方向となるように形成したことで、上パターン１０のラインＬ１２と下パターン５０のラインＬ１２´の縫着ラインと共に、被着者の肩付近の形状にフィットし、且つ所定の空間を形成することができる。
このような空間を形成することで、被着者は、その肩付近において、衣服１を着ていることを殆ど意識しないで済むようになる。また、衣服１が、必要以上に大きくなることを回避でき、運動の妨げにならない。
【００２０】
ラインＬ２１とラインＬ１０との間にはダーツＤ２２が形成されている。
ダーツＤ２２は、ダーツＤ１２と同様に、衣服１の重量を右肩部の周囲に分散させて、衣服１の重量を感じさせないようにするためのものである。
【００２１】
また、ラインＬ１１の端点Ｐ１１を始点としてラインＬ１１と略直交する方向にラインＬ１２が形成されている。
また、ラインＬ１２に対して図１中下向きに約１５°傾斜してラインＬ１３が形成されている。ラインＬ１２とラインＬ１３との間には、ダーツＤ１０が形成されている。
ダーツＤ１０は、被着者の肘付近に所定の空間を形成し、肘を中心に「くの字」に曲げることを可能にするためのものである。
ここで、ダーツＤ１０と、ダーツＤ１２とはその深さ方向が略直交している。このようにすることで、これらを直交させない場合に比べて、上パターン１０全体として、より多くの種類の３次元空間を形成することが可能になる。
【００２２】
また、ラインＬ１３と略直角する向きにラインＬ１４が形成されている。
また、ラインＬ１４と略直角する向きにラインＬ１５が形成されている。ラインＬ１５は、ダーツＤ１０に向けて滑らかに窪んでいる。
ラインＬ１５は、ラインＬ１２のダーツＤ１０側の一部と、ラインＬ１３と縫着され、左袖部を形成する。
ラインＬ１５からラインＬ１６、Ｌ１８、Ｌ２６が順に形成され、これらによって凹部が形成されている。
また、ラインＬ１２の端点Ｐ１１側の一部は、図２に示す下パターン５０のラインＬ１２´と縫着される。
また、端点Ｐ１１は、下パターン５０の端点Ｐ１１´と接合する。
【００２３】
ラインＬ１６は、図２に示す下パターン５０のラインＬ１６´と縫着され、左袖の袖ぐりを形成する。
ラインＬ１８は、下パターン５０のラインＬ１８´と縫着される。
【００２４】
ラインＬ１２,Ｌ１３，Ｌ１４，Ｌ１５，Ｌ１６によって左袖部１２が構成される。
また、ラインＬ２６,Ｌ２５,Ｌ２４,Ｌ２３,Ｌ２２によって、左袖部１２と対称に右袖部２２が構成される。
【００２５】
［下パターン５０］
図２に示すように、下パターン５０は、Ｌ１８´，Ｌ１６´,Ｌ１２´、Ｌ３２，Ｌ４１，Ｌ４４，Ｌ４１´，Ｌ４２，Ｌ２２´，Ｌ２６´によって外郭が形成されている。
ラインＬ４４には、左右対称の位置に４つのダーツＤ６０，Ｄ６１，Ｄ６２，Ｄ６３が図中上向きに形成されている。
ここで、ダーツＤ６０，Ｄ６３は、前身頃を体にフィットさせるために用いられる。ダーツＤ６１，Ｄ６２は、後身頃を体にフィットさせるために用いられる。
【００２６】
前述したように衣服１において、下パターン５０のラインＬ１８´は上パターン１０のラインＬ１８と縫着され、下パターン５０のラインＬ１６´は上パターン１０のラインＬ１６と縫着され、下パターン５０のラインＬ１２´は上パターン１０のラインＬ１２の端点Ｐ１１側の一部と縫着され、下パターン５０のラインＬ２２´は上パターン１０のラインＬ２２の端点Ｐ２１側と縫着され、下パターン５０のラインＬ２６´は上パターン１０のラインＬ２６と縫着される。
また、下パターン５０の端点Ｐ１１´，Ｐ２１´が、それぞれ上パターン１０の端点Ｐ１１，Ｐ２１と接合する。
【００２７】
また、下パターン５０のラインＬ４１は、ラインＬ４１´とは、例えばファスナー等の留め具によって接合される。
下パターン５０の端点Ｐ１１´近傍が左前身頃となり、下パターン５０の端点Ｐ２１´近傍が右前身頃となり、ラインＬ１８´近傍が後身頃となる。
【００２８】
また、下パターン５０のラインＬ３２は、上パターン１０のラインＬ１１と一体となって左衿口の一部を形成する。下パターン５０のラインＬ４２は、上パターン１０のラインＬ２１と一体となって右衿口の一部を形成する。
【００２９】
［ダーツＤ１２,Ｄ２２］
以下、上パターン１０の衿部８に形成されたダーツＤ１２,Ｄ２２について、さらに詳細に説明する。
図１、図３および図５に示すように、衣服１は、左袖部１２および右袖部２２の肩部は、ダーツＤ１２,Ｄ２２により表面には凸の曲面部７Ｌ,７Ｒが形成され、曲面部７Ｌ,７Ｒの裏面には空間部８Ｌ,８Ｒが形成されることにより肩部は被着者の頸側部位ａＬ,ａＲ付近を支点部として支持され、被着者の肩ＫＬ,ＫＲから浮き上がった状態に装用される。
そのため、被着者の左右の肩ＫＬ,ＫＲ全体で衣服１の重量を支えるものではなく、衣服１の重量は肩部の周囲に分散されて肩ＫＬ,ＫＲにかかり、重量が軽減されるため、重量感を感ぜず、軽快にかつ着心地が良く衣服１を装用することができる。
【００３０】
そして、被着者の頸側部位ａＬ,ａＲ付近を支点部として左右の肩部が支持される左右の肩部５Ｌ,５Ｒは、被着者の肩ＫＬ,ＫＲから浮き上がった状態に装用され、しかも左右の肩布部５Ｌ,５Ｒの曲面部７Ｌ,７Ｒの裏面には空間部８Ｌ,８Ｒが形成されるので、被着者の肩ＫＬ,ＫＲとの間に余裕の空間が形成されるため、歩行時、または運動時において肩ＫＬ,ＫＲの回転、捻回、伸縮を拘束することなく、運動性をに優れるとともに、左右の肩布部５Ｌ,５Ｒは肩ＫＬ,ＫＲの動きに対して引き連れが生ずることなく、窮屈感も覚えることはなく、爽快に装用が行える。
【００３１】
すなわち、衣服１は、衿口からの切り込みによりダーツＤ１２、Ｄ２２を形成したことで、衣服１の重量を肩布部の周囲に分散させて、衣服１の重量を感じさせないようにすることができ、着心地が良く、窮屈感を感じない。また、運動をする時に、衣服１が身体の動きに追従して滑らかに動き易いため、引き連れや突っ張りを生ずることなく、運動性に優れるものが得られる。そして、衣服１の着崩れがなくなり、左右の肩部の不均衡もなくなり、外観的な見苦しさもなくなる。
また、衣服１は、肩パッドを用いないので、部品点数が多くならず、資材費も安価になるとともに肩パッドを衣服に取付けずに済むため、工程数が増えず、製作費も安価になる。
従って、例えばスキーウェアーのように、１／１００秒のスピードを競うスポーツ競技における衣服１として装用した場合に、重量が軽減されて軽快に装用できるのと、肩Ｋ,Ｋ′の回転、捻回、伸縮を拘束することなく、運動性に優れるので最適である。
【００３２】
そのうえ、左右の肩部５Ｌ,５Ｒは、凸の曲面部７Ｌ,７Ｒの裏面に形成される空間部８Ｌ,８Ｒにより大きな空間部を占めることにより多量の空気層となるので、冬期における保温に適し、夏期においては通気性を発揮し、発汗によるムレを防止することもできる。
【００３３】
［衣服１の作用］
衣服１では、図３に示すように、上パターン１０と下パターン５０とが、左衿口に達するラインＬ１２とラインＬ１２´、並びに右衿口に達するラインＬ２２とラインＬ２２´で縫着される。これにより、衣服１では、下パターン５０のラインＬ３２，Ｌ４２が、衿口の一部を形成する。
左衿付近のラインＬ１２とラインＬ１２´との縫着ラインは、衿部８の左衿部の衿口（ダーツＤ１２とラインＬ４１との略中間位置）から、左袖ぐりまで達する。
ここで、ラインＬ２１とラインＬ４２との長さは略同じである。すなわち、ラインＬ１２の一端点Ｐ４１は、左衿口の正面から見た略中間位置となる。
また、ラインＬ１２の他端点は、ラインＬ１２、ラインＬ１３およびラインＬ１５の接点Ｐ３１となる。接点Ｐ３１は、左袖ぐり付近の脇下点Ｐ３２と、肩上点Ｐ３３との略中間位置にある。
また、ラインＬ１２とラインＬ１２´との縫着ラインは、左衿部の衿口から約４５°の角度で左斜め下向きにのび、一端点Ｐ４１と接点Ｐ３１との略中間位置で、ラインＬ１２（左袖部１２の長手方向と略平行する方向）と略平行になるように、滑らかに曲線を形成している。
右衿付近のラインＬ２２、Ｌ２２´、Ｌ１１，Ｌ３２は、上述した左衿付近と対称に形成されている。
【００３４】
上述したように上パターン１０と下パターン５０との縫着ラインを形成したことで、被着者の運動時に大きな動きが生じる箇所である衿口から鎖骨下付近を通って袖口にのびる正面側の箇所に、衣服１を体にフィットさせた状態で、所望の形状の立体空間を形成することができる。
また、上述したように、下パターン５０のラインＬ３２，Ｌ４２によって衿口の一部を形成するように構成したことで、ラインＬ１２とラインＬ２２とを衿口上のラインＬ４１とラインＬ４１´との接合点で接合させた場合のように衿口のための縫着と上下パターンの間の縫着とが重なり合って縫着が困難になってしまうことを回避できる。また、優れたデザインを提供できる。
【００３５】
また、衣服１では、左袖部１２のラインＬ１２，Ｌ１３とラインＬ１５との縫着ラインが、ラインＬ１２と下パターン５０のラインＬ１２´との縫着ラインとが、左袖ぐり付近の接点Ｐ３１で連結し、衿部８の左衿口から左袖部１２の袖口に一つの滑らかな縫着ラインを形成している。
これにより、２つの縫着ラインが、一体となって衣服１内に所望の空間を形成できる。
また、ミシンによる縫着作業およびシームテープの取り付け作業の各々において、衿部８の左衿口から左袖部１２の袖口まで作業を止めることなく、連続的に行うことができ、作業効率を高めることができる。
また、ラインＬ１５とラインＬ１２，Ｌ１３との縫着ラインを、正面側（前側）に形成したことで、肘を曲げるときに、縫着ラインが収縮する方向に力が働くようにでき、伸長する方向に力が働く背面側（後側）に形成する場合に比べて、縫着の糸が切れることを効果的に抑制できる
【００３６】
また、衣服１では、上パターン１０のラインＬ１８と、下パターン５０の後身頃のラインＬ１８´とが、脇下より衿部８側の肩の位置周辺で接合している。
また、脇が位置する領域に沿って、上パターン１０と下パターン５０とを縫着するラインＬ１６，Ｌ１６´およびラインＬ２６，２６´が位置する。
このように構成したことで、運動時に大きな動きが生じる肩のライン付近に、体にフィットさせながら動きに合わせた所定の形状の空間を形成できる。
【００３７】
上述したように、衣服１によれば、上述したように上パターン１０と下パターン５０との２つのパターンで、優れたデザイン性を発揮しながら、衣服１の基本立体形状を構成できる。そのため、従来に比べて、シームテープの量を大幅に削減でき、軽量化が図れる。また、衣服１を形成するための裁断および組付けが簡単になる。また、シームテープの使用箇所を少なくすることで、衣服１の防水性を高めることができると共に、ハードな（硬い）箇所を小さくできる。
【００３８】
また、衣服１によれば、上パターン１０および下パターン５０の布地方向（図１および図２中の縦方向あるいは横方向）が、衣服１において、その縦方向あるいは横方向として現れる。そのため、デザイン性を損なうことなく、しかも、運動時に生じる斜め方向の力に対して伸び難くできる。
【００３９】
なお、衣服１を基にした最終的な製品の外観は、例えば、図６および図７に示される。
【００４０】
＜第２実施形態＞
図８は本発明の第２実施形態に係る衣服１０１を構成する上パターン１１０の正面図、図９は図８に示す衣服１０１を構成する下パターン１５０の正面図である。
【００４１】
第２実施形態の衣服１０１は、図８に示す上パターン１１０と図９に示す下パターン１５０とを立体形状にして、シームテープにより縫着することによって形成される。
衣服１０１は、図８に示す上パターン１１０のラインＬ１１６，Ｌ１１８，Ｌ１２６と、図９に示す下パターン１５０のラインＬ１１６´，Ｌ１１８´，Ｌ１２６´との形状に特徴を有している。
上パターン１１０のラインＬ１１６と下パターン１５０のラインＬ１１６´とは縫着され、左脇下に位置する。上パターン１１０のラインＬ１２６と下パターン１５０のラインＬ１２６´とは縫着され、右脇下に位置する。
上パターン１１０のラインＬ１１８と、下パターン１５０のラインＬ１１８´とは、脇より下の位置で縫着される。
これにより、衣服１０１の背面の外観は、図１０に示すようになり、第１実施形態の衣服１とは異なる背面デザインが得られる。
【００４２】
図８に示す上パターン１１０のラインＬ１１０，Ｌ１１１，Ｌ１１２，Ｌ１１３，Ｌ１１４，Ｌ１１５，Ｌ１２５，Ｌ１２４，Ｌ１２３，Ｌ１２２，Ｌ１２１は、第１実施形態の図１に示す上パターン１０のラインＬ１０，Ｌ１１，Ｌ１２，Ｌ１３，Ｌ１４，Ｌ１５，Ｌ２５，Ｌ２４，Ｌ２３，Ｌ２２，Ｌ２１とそれぞれ対応しており、それらの機能も同じである。
また、図８に示す上パターン１１０のダーツＤ１１２、Ｄ１１０は、図１に示す上パターン１０のダーツＤ１２、Ｄ１０とそれぞれ対応しており、それらの機能も同じである。
【００４３】
図９に示す下パターン１５０のラインＬ１１２´，Ｌ１３２，Ｌ１４１，Ｌ１４４，Ｌ１４１´，Ｌ１４２，Ｌ１２２´は、図１に示す下パターン５０のラインＬ１２´，Ｌ３２，Ｌ４１，Ｌ４４，Ｌ４１´，Ｌ４２，Ｌ２２´とそれぞれ対応しており、それらの機能も同じである。
また、図９に示す下パターン１５０のダーツＤ１６０，Ｄ１６１，Ｄ１６２，Ｄ１６３は、図２に示す下パターン５０のダーツＤ６０，Ｄ６１，Ｄ６２，Ｄ６３とそれぞれ対応しており、それらの機能も同じである。
【００４４】
衣服１０１によっても、第１実施形態と同様な効果を、異なる背面デザインによって得られる。
【００４５】
＜第３実施形態＞
図１１は本発明の第３実施形態に係る衣服２０１を構成する上パターン２１０の正面図、図１２は図１１に示す衣服２０１を構成する下パターン２５０の正面図である。
【００４６】
第３実施形態の衣服２０１は、図１１に示す上パターン２１０と図１２に示す下パターン２５０とを立体形状にして、シームテープにより縫着することによって形成される。
衣服２０１は、図１１に示す上パターン２１０のラインＬ２１６，Ｌ２１８，Ｌ２２６と、図９に示す下パターン１５０のラインＬ２１６´，Ｌ２１８´，Ｌ２２６´との形状に特徴を有している。
上パターン１１０のラインＬ２１６と下パターン１５０のラインＬ２１６´とは縫着され、左脇下に位置する。上パターン１１０のラインＬ２２６と下パターン１５０のラインＬ２２６´とは縫着され、右脇下に位置する。
上パターン１１０のラインＬ２１８と、下パターン１５０のラインＬ２１８´とは、脇の位置で縫着される。
これにより、衣服１０１の背面の外観は、図１３に示すようになり、第１および第２実施形態の衣服１，１０１とは異なる背面デザインが得られる。
【００４７】
図８に示す上パターン１１０のラインＬ２１０，Ｌ２１１，Ｌ２１２，Ｌ２１３，Ｌ２１４，Ｌ２１５，Ｌ２２５，Ｌ２２４，Ｌ２２３，Ｌ２２２，Ｌ２２１は、第１実施形態の図１に示す上パターン１０のラインＬ１０，Ｌ１１，Ｌ１２，Ｌ１３，Ｌ１４，Ｌ１５，Ｌ２５，Ｌ２４，Ｌ２３，Ｌ２２，Ｌ２１とそれぞれ対応しており、それらの機能も同じである。
また、図８に示す上パターン１１０のダーツＤ２１２、Ｄ２１０は、図１に示す上パターン１０のダーツＤ１２、Ｄ１０とそれぞれ対応しており、それらの機能も同じである。
【００４８】
図１２に示す下パターン２５０のラインＬ２１２´，Ｌ２３２，Ｌ２４１，Ｌ２４４，Ｌ２４１´，Ｌ２４２，Ｌ２２２´は、図１に示す下パターン５０のラインＬ１２´，Ｌ３２，Ｌ４１，Ｌ４４，Ｌ４１´，Ｌ４２，Ｌ２２´とそれぞれ対応しており、それらの機能も同じである。
また、図１２に示す下パターン２５０のダーツＤ２６０，Ｄ２６１，Ｄ２６２，Ｄ２６３は、図２に示す下パターン５０のダーツＤ６０，Ｄ６１，Ｄ６２，Ｄ６３とそれぞれ対応しており、それらの機能も同じである。
【００４９】
衣服２０１によっても、第１実施形態と同様な効果を、異なる背面デザインによって得られる。
【００５０】
＜第４実施形態＞
図１４は、本発明の第４実施形態に係る衣服５０１を構成する左パターン５０２の正面図である。
図１５は本発明の第４実施形態の衣服５０１の正面図、図１６は本発明の第４実施形態の衣服５０１の背面図である。
【００５１】
衣服５０１は、図１４に示す左パターン５０２と、左パターン５０２と対称な右パターン５２２とを、図１５および図１６に示すように、シームテープにより縫着することによって形成される。
【００５２】
左パターン５０２は、図１４に示すように、左衿部５０３、左前身頃５０４、左後身頃５０５および左袖部５０６を一体裁断して形成される。
左衿部５０３には、ラインＬ５１１とＬ５２２との間に、左袖部５０６に向かうダーツＤ５１２が形成されている。ダーツＤ５１２は、第１実施形態のダーツＤ１２と同等の機能を有する。
【００５３】
また、左袖部５０６のラインＬ５１５とラインＬ５６１との間の位置にダーツＤ５１０が形成されている。
ダーツＤ５１０は、腕を肘を中心に「くの字」に曲げることを可能にするためのものである。
【００５４】
左パターン５０２のラインＬ５１２は、右パターンの前身頃のラインと縫着される。
ラインＬ５２１は、右パターンの後身頃のラインと縫着される。
ラインＬ５１５とラインＬ５１６は、ラインＬ５１８と縫着され、左袖部を形成する。ラインＬ５１７は、左袖口を形成する。また、ラインＬ５１１は左前衿口を形成し、ラインＬ５２２は左後衿口を形成する。
【００５５】
衣服５０１によれば、左パターン５０２と、それと対称な右パターンとを縫着するときに、縫着箇所が少なく、シームテープの使用箇所を少なくできる。そのため、軽量化が可能になる。
衣服５０１は、例えば、ポンチョ等に適している。
【００５６】
なお、左パターン５０２は、第４の観点の発明の一例である。ここで、ラインＬ５１２が第４の観点の発明の第１の接合ラインの一例であり、ラインＬ５１４が第４の観点の発明の第２の接合ラインの一例であり、ラインＬ５２１が第４の観点の発明の第３の接合ラインの一例であり、ラインＬ５１９が第４の観点の発明の第４の接合ラインの一例であり、ラインＬ５１５,Ｌ５１６が第４の観点の発明の第５の接合ラインの一例である。
【００５７】
図１７は、図１４に示す左パターン５０２の変形例に係る左パターン６０２の正面図である。
図１７に示すように、左パターン６０２は、左前身頃５０４のラインＬ５１３に左衿部５０３に向けてダーツＤ５３１が形成されている。ダーツＤ５３１によって、左前身頃５０４と被着者の体との間にその体にフィットした形状の空間を形成できる。
また、左後身頃５０５のラインＬ５２０に左衿部５０３に向けてダーツＤ５３４が形成されている。ダーツＤ５３４によって、左後身頃５０５と被着者の体との間にその体にフィットした形状の空間を形成できる。
【００５８】
また、ラインＬ５１４とラインＬ５１５との間に左衿部５０３に向けて延びるダーツＤ５３２が形成されている。
また、ラインＬ５１８とラインＬ５１９との間に左衿部５０３に向けて延びるダーツＤ５３３が形成されている。
【００５９】
図１７に示す左パターン６０２と、それと左右対称な右パターンとによって、図１４に示す左パターン５０２を用いる場合に比べて、被着者の体によりフィットした形状の空間を形成できる。
【００６０】
＜意匠の説明＞
図１、図２、図８、図９、図１１、図１２および図１４は、衣服、上着を形成するための布帛（ふはく）をも示している。
図１、図８および図１１は、衣服の衿部、左袖部、右袖部を形成するための布帛である。衿部から左袖部、右袖部に向けて肩付近に空間を作るための肩ダーツが形成されている。また、左袖部および右袖部には、肘を曲げるための空間を形成するダーツがそれぞれ形成されている。
図２、図９および図１２は、衣服の左前身頃、後身頃、右前身頃を形成するための布帛である。左右対称に４本のダーツが形成されている。
【００６１】
図１４に示す布帛は、衣服の左側部分を形成するためのものであり、左右対称の布帛と縫着することで図１５および図１６に示すように衣服を形成する。図１４に示す布帛は、左前身頃、左袖部および左後身頃を形成するものであり、左袖部には肘を曲げるための空間を形成するダーツが形成されている。
【００６２】
本発明は上述した実施形態には限定されない。
すなわち、当業者は、本発明の技術的範囲またはその均等の範囲内において、上述した実施形態の構成要素に関し、様々な変更、コンビネーション、サブコンビネーション、並びに代替を行ってもよい。
上述した実施形態では、ダーツを備えた場合を例示したが、一部あるいは全てのダーツがない場合にも本発明は同様に適用可能である。例えば、サッカーやランニング等のウェアには、肘のダーツは不要である。
また、ダーツの幅と深さは、そのダーツが形成された箇所に対応した人体の運動範囲によって規定される。
【００６３】
また、第１〜第３実施形態において、ラインＬ１２，Ｌ１２´等のパターンは一例であり、左前衿口（右前衿口）から左袖部（右袖部）の袖ぐり付近に達するものであれば、任意のパターンを用いることができる。
また、上述した実施形態では、縫着方法としてシームテープを用いる場合を例示したがが、その他の方法で縫着してもよい。
【産業上の利用可能性】
【００６４】
本発明は、軽量化の要求がある衣服に適用可能である。
【符号の説明】
【００６５】
１，１０１，２０１，５０１…衣服
１０,１１０，２１０…上パターン
５０,１５０,２５０…下パターン
１２,１１２,２１２…左袖部
２２，１２２，２２２…右袖部
８,１０８,２０８…衿部
５０２…左パターン
【図１】
2010275662.tif 000003
【図２】
2010275662.tif 000004
【図３】
2010275662.tif 000005
【図４】
2010275662.tif 000006
【図５】
2010275662.tif 000007
【図６】
2010275662.tif 000008
【図７】
2010275662.tif 000009
【図８】
2010275662.tif 000010
【図９】
2010275662.tif 000011
【図１０】
2010275662.tif 000012
【図１１】
2010275662.tif 000013
【図１２】
2010275662.tif 000014
【図１３】
2010275662.tif 000015
【図１４】
2010275662.tif 000016
【図１５】
2010275662.tif 000017
【図１６】
2010275662.tif 000018
【図１７】
2010275662.tif 000019